(57)【要約】【課題】装置全体が薄く、装置本体を単純形状にできるファン式薬剤放散装置とする。【解決手段】送風機取付部２と電池取付部３を有する装置本体１と、この送風機取付部２に着脱自在に取付けられる薬剤保持体取付部材１０と、この薬剤保持体取付部材１０の薬剤保持体取付部１１に取付けられるシート状の薬剤保持体２０を備え、前記送風機取付部２に取付けた送風機４のファン６を回転することで薬剤保持体２０に空気が流通して薬剤が大気に放散するようにしたファン式薬剤放散装置。【選択図】図２
2005287872.tif 000002
【特許請求の範囲】
【請求項１】
平面方向に離隔した送風機取付部２と電池取付部３を有し、その送風機取付部２に取付けた送風機４のファン６を回転することで吸込口７から空気を吸い込んで吐出口８から吐出する装置本体１と、
この装置本体１に、着脱自在でかつ前記吸込口７と対向して取付けた薬剤保持体取付部材１０と、
この薬剤保持体取付部材１０の薬剤保持体取付部１１に取付けたシート状の薬剤保持体２０を備えていることを特徴とするファン式薬剤放散装置。
【請求項２】
薬剤保持体２０がファン６よりも大きい請求項１記載のファン式薬剤放散装置。
【請求項３】
薬剤保持体取付部材１０の薬剤保持体取付部１１を、その一側部分が装置本体１の電池取付部３まで突出してファン６よりも大きくすることで、薬剤保持体２０をファン６よりも大きくした請求項２記載のファン式薬剤放散装置。
【請求項４】
薬剤保持体取付部材１０の薬剤保持体取付部１１を、その他側部分が装置本体１の送風機取付部２よりも他方に突出してファン６よりも大きくすることで、薬剤保持体２０をファン６よりも大きくした請求項２記載のファン式薬剤放散装置。
【請求項５】
装置本体１の送風機取付部２を形成する周面板３１と薬剤保持体取付部材１０の周面板１４との間に空間部１７を形成し、送風機４のファン６を回転することで、この空間部１７を通して空気が流通するようにし、
前記薬剤保持体取付部材１０における空間部１７と対向した部分に薬剤保持体取付部１１を形成し、
薬剤保持体２０が装置本体１の前記周面板３１に沿って設けるようにした請求項１記載のファン式薬剤放散装置。
【発明の詳細な説明】
【技術分野】
【０００１】
本発明は、ファンを回転することで空気を、芳香剤、消臭剤、殺菌剤、殺ダニ剤、害虫あるいは害獣忌避剤、殺虫剤または害虫の成長制御剤、吸血行動阻止剤などの薬剤を含浸した薬剤保持体に流通して薬剤を大気に放散するファン式薬剤放散装置に関するものである。
【背景技術】
【０００２】
特許文献１に開示されたファン式薬剤放散装置が知られている。
このファン式薬剤放散装置は、装置本体内に、送風機と薬剤容器と電源収納体を設けたもので、その送風機はファンとモータを有し、薬剤容器には揮散性の薬剤が収納され、電源収納体には電池が収容されている。
そして、モータでファンを回転することで薬剤容器に空気を流通して揮散性の薬剤を大気に放散する。
【０００３】
【特許文献１】特許公開２００２−２９１３９２号公報
【発明の開示】
【発明が解決しようとする課題】
【０００４】
特許文献１に開示されたファン式薬剤放散装置によれば、装置本体内に送風機と薬剤容器を並設し、送風機のファンの回転することで薬剤容器に空気を流通するので、その装置本体内に送風機を収容するスペースと、薬剤容器を収容するスペースと、両スペース間に空気をスムーズに流通する空気流路が必要である。
しかも、薬剤容器は通気性を有すると共に、薬剤を含浸した粒状の薬剤含浸体を多数収容した形態であるから、その薬剤容器は厚く、前述のスペースは長いものである。
これらが相俟って装置本体が厚く、ファン式薬剤放散装置全体が厚くなってしまう。
【０００５】
また、装置本体内に、２つのスペースを形成するので、その装置本体が複雑な形状となってしまう。
【０００６】
本発明の目的は、全体が薄く、装置本体を単純形状にできるようにしたファン式薬剤放散装置を提供することである。
【課題を解決するための手段】
【０００７】
本発明は、平面方向に離隔した送風機取付部２と電池取付部３を有し、その送風機取付部２に取付けた送風機４のファン６を回転することで吸込口７から空気を吸い込んで吐出口８から吐出する装置本体１と、
この装置本体１に、着脱自在でかつ前記吸込口７と対向して取付けた薬剤保持体取付部材１０と、
この薬剤保持体取付部材１０の薬剤保持体取付部１１に取付けたシート状の薬剤保持体２０を備えていることを特徴とするファン式薬剤放散装置である。
【０００８】
本発明においては、薬剤保持体２０がファン６よりも大きいことが好ましい。このようにすれば、薬剤の量が多く、長期間に亘って薬剤を大気に放散できる。
例えば、薬剤保持体取付部１１を、その一側部分が装置本体１の電池取付部３まで突出してファン６よりも大きくすることで、薬剤保持体２０をファン６よりも大きくする。
また、薬剤保持体取付部１１を、その他側部分が装置本体１の送風機取付部２よりも他方に突出してファン６よりも大きくすることで、薬剤保持体２０をファン６よりも大きくする。
【０００９】
本発明においては、装置本体１の送風機取付部２を形成する周面板３１と薬剤保持体取付部材１０の周面板１４との間に空間部１７を形成し、送風機４のファン６を回転することで、この空間部１７を通して空気が流通するようにし、
前記薬剤保持体取付部材１０における空間部１７と対向した部分に薬剤保持体取付部１１を形成し、
薬剤保持体２０が装置本体１の前記周面板３１に沿って設けることが好ましい。
このようにすれば、装置全体の厚さをより薄くできる。
【発明の効果】
【００１０】
本発明によれば、装置本体１に送風機４と電池９が平面方向に離隔して取付けられると共に、この装置本体１に取付けた薬剤保持体取付部材１０の薬剤保持体取付部１１にシート状の薬剤保持体２０を取付けたので、装置全体を薄くできると共に、装置本体１を単純形状とすることができる。
【発明を実施するための最良の形態】
【００１１】
図１と図２に示すように、装置本体１は送風機取付部２と電池取付部３を備え、この送風機取付部２と電池取付部３は平面方向に離隔して厚さ方向には重なり合うことがないようにしてある。
前記送風機取付部２には送風機４が取付けてある。この送風機４はモータ５でファン６を回転するもので、そのファン６を回転すると装置本体１の吸込口７から空気を吸い込んで吐出口８から吐出する。
前記電池取付部３には電池９が取付けてある。
【００１２】
前記装置本体１には薬剤保持体取付部材１０が着脱自在で、かつ前記吸込口７と対向して取付けてある。
この薬剤保持体取付部材１０は薬剤保持体取付部１１と、通気部１２を有し、その薬剤保持体取付部１１にシート状の薬剤保持体２０が取付けてある。
【００１３】
このようであるから、ファン６を回転することで通気部１２から空気が吸い込みされ、その空気は薬剤保持体２０を通過して吸込口７から吸い込まれ、吐出口８から吐出される。
よって、薬剤保持体２０が保持している薬剤が大気に放散される。
【００１４】
また、装置本体１は送風機取付部２と電池取付部３を平面方向に離隔して有するだけで、薬剤保持体を取付けるスペースを有していないから装置本体１を薄くできると共に、単純形状にできる。
また、薬剤保持体２０はシート状であるから、それ自身が薄く、装置本体１が薄いことと相俟って装置全体を薄くできる。
【００１５】
次に、各部材の具体形状の一例を説明する。
前記装置本体１は、図１、図２、図３に示すように底面板３０と周面板３１と仕切り板３２と一側上面板３３と他側上面板３４を備えている。その底面板３０の一側寄りには凹陥部３５が形成され、この凹陥部３５に前述のモータ５が取付けてあると共に、キャップ３６で閉塞してある。
前記周面板３１の一側寄りはほぼ半円形状で、仕切り板３２と一側上面板３３でファン収容室（ファンケース）３７を形成し、このファン収容室３７に前記ファン６が回転自在に設けてある。
前記一側上面板３３はファン収容室３７の上面開口部に嵌合して取付けられ、かつ前述の吸込口７が形成してある。
前記周面板３１の一側寄りに前述の吐出口８がファン収容室３７に開口して形成してある。
【００１６】
前記底面板３０の他側寄りと周面板３１の他側寄りと仕切り板３２で上向き凹部３８を形成し、この上向き凹部３８が前記他側上面板３４で閉塞されて前述の電池取付部３を形成している。
前記他側上面板３４で、上向き凹部３８が開閉自在である。この実施の形態では薬剤保持体取付部材１０と一体で、着脱自在に取付けられる。
これに限ることはなく、ヒンジで開閉自在に取付けても良い。
【００１７】
前記薬剤保持体取付部材１０は、図１、図２、図４に示すように、上面板１３と周面板１４を備え、その上面板１３にスリット状の通気部１２が形成されていると共に、その通気部１２の周囲にリング状の突起１５を設け、その突起１５の内周面が薬剤保持体取付部１１を形成している。
前記周面板１４は底板１４ａを備え、その底板１４ａが装置本体１の周面板３１の一側寄りに嵌合して取付けられる。
前記上面板１３の他側縁と連続して前記他側上面板３４が一体的に設けてあり、この他側上面板３４が装置本体１の周面板３１の他側寄りに嵌合している。
【００１８】
前記薬剤保持体２０は不織布などからなる通気性を有する円形のシート材に薬剤を含浸したシート状で、それ自体では形状を維持し難いから、固定部で保持して所定形状に維持してある。
前記固定部としては、例えば、この薬剤保持体２０を収容する円形容器２１と、この円形容器２１内に薬剤保持体２０を固定する円形の止め板２２を備えている。
前記円形容器２１、止め板２２は通気部２１ａ，２２ａを有する。
前記円形容器２１が薬剤保持体取付部１１に嵌合して取付けられる。
【００１９】
前記薬剤保持体２０の具体形状の一例を説明する。
図５に示すように、円形容器２１は底面板２１ｂと周面板２１ｃを備え、その底面板２１ｂには開口部が形成されて前述の通気部２１ａを形成している。
前記周面板２１ｃは前記突起１５の円形内周面と同一径である。
前記薬剤保持体２０は不織布などからなる通気性のシート材に薬剤を適量含浸させた薄い円板状で、前記周面板２１ｃ内に嵌まり込む大きさである。
前記止め板２２は、前記周面板２１ｃ内に嵌まり込む大きさの薄い円板状で、開口部が形成されて前述の通気部２２ａを有している。
この止め板２２は薬剤保持体２０を円形容器２１の底面板２１ｂに押しつけて薬剤保持体２０を支持するものであるから、この止め板２２と薬剤保持体２０の接触面積は少なく、通気部２２ａの開口面積が大きく薬剤保持体２０に多量の空気が流通するようにすることが好ましい。
例えば、止め板２２を外周リング２３と複数のスポーク２４で形成し、その外周リング２３の幅とスポーク２４の幅を小さくする。
【００２０】
前記薬剤保持体２０（円形容器２１）の突起１５への取付けは、嵌合に限ることはなく、任意の取付けが可能である。
例えば、突起１５の内周面と円形容器２１の外周面の一方に突起、他方に鉤形溝を形成し、突起を鉤形溝の縦溝に挿入して若干の角度回転して鉤形溝の横溝に嵌合させて落下しないように保持して取付ける。
また、突起１５の内周面と円形容器２１の外周面にネジを形成して螺合することで取付ける。
また、突起１５の開口縁に複数の係止片を設け、この係止片を弾性変形して押し込むことで取付ける。
【００２１】
前記薬剤保持体取付部１１の形状は、前述のリング状の突起１５に限ることはなく、種々のものが可能である。
例えば、上面板１３の通気部１２の周囲に複数の係り止め片を設け、この係り止め片と上面板１３とで円形容器２１を挟持して取付ける。
また、円形容器２１又は止め板２２に突起又は穴を設け、上面板１３に穴又は突起を設け、その突起と穴を嵌合して取付ける。
また、円形容器２１の外周面に複数の突片を設け、上面板１３の通気部１２の周囲には複数の受け片を設け、その突片を受け片に嵌合して取付ける。
【００２２】
なお、以上の説明では薬剤保持体２０を円形容器２１内に入れ、その円形容器２１を取付けるようにしたが、薬剤保持体２０を、そのまま前述のようにして薬剤保持体取付部１１に取付けることも可能である。
【００２３】
次に、第２の実施の形態を説明する。
この実施の形態は、薬剤保持体取付部材１０と装置本体１の他側上面板３４を別体とし、その薬剤保持体取付部材１０のみを単独で取付け、取り外し又は開閉できるようにしたものである。この場合、他側上面板３４は必要に応じて開閉自在とすれば良い。
例えば、図６に示すように、装置本体１の周面板３１の一側寄りを高くし、他側寄りを低くして、薬剤保持体取付部材１０の周面板１４が装置本体１の周面板３１の一側寄りと仕切り板３２に亘って嵌合するようにする。
【００２４】
このようにすれば、薬剤保持体取付部材１０の取付け、取り外しが容易となるから、薬剤保持体２０の交換作業がやり易い。
【００２５】
次に、第３の実施の形態を説明する。
この実施の形態は、薬剤保持体２０をファン６よりも大きくし、長期間に亘って薬剤を大気に放散できるようにしたものである。
例えば、図７、図８に示すように、薬剤保持体取付部材１０を、その電池取付部３寄り部分（以下一側部分という）が装置本体１の電池取付部３まで張り出した大きさとし、その薬剤保持体取付部１１を、その一側部分が電池取付部３まで突出した大きさとする。
これによって、薬剤保持体２０が、その一側部分が電池取付部３まで張り出した大きさで、ファン６よりも大きくなる。
【００２６】
この場合には、薬剤保持体取付部１１を半円形状部１１ａとコ字状部１１ｂを有する形状とし、薬剤保持体２０、円形容器２１、止め板２２を半円形状部とコ字状部で囲まれた平面形状とする。
そして、円形容器２１の底面板２１ｂのコ字状部で囲まれた他側寄り部分を装置本体１の一側上面板３３に接して上向き凹部３８の一部分を閉塞し、ファン６の回転によって上向き凹部３８（つまり、電池取付部３）から空気を吸い込みせずに、通気部１２のみから空気を吸い込むようにする。
【００２７】
また、前述の底面板２１ｂの他側寄り部分の上面に凹凸を形成し、その上面に載置した薬剤保持体２０の下面との間に空間部２５を形成するようにする。
このようにすることで、薬剤保持体２０の他側寄り部分を通過した空気が空間部２５を通して通気部２１ａから吸い込みされるので、薬剤保持体２０に保持された薬剤をスムーズに大気に放散できる。
【００２８】
次に、第４の実施の形態を説明する。
また、図９、図１０に示すように、薬剤保持体取付部材１０を、その電池取付部３と反対寄り部分（以下他側部分という）が装置本体１の送風機取付部２よりも側方に大きく張り出し、その薬剤保持体取付部１１を、その他側部分が装置本体１の送風機取付部２よりも突出した大きさとする。
これによって、薬剤保持体２０が、その他側部分が装置本体１の送風機取付部２よりも側方に張り出した大きさで、ファン６よりも大きくなる。
この場合には、薬剤保持体取付部材１０の周面板１４の下端部に設けた底面板１４ａは装置本体１の周面板３１よりも大きく張り出し、その半円形部が周面板３１の半円形部に接する。
【００２９】
次に、第５の実施の形態を説明する。
前述の各実施の形態では、シート状の薬剤保持体２０を一枚設けたが、これに限ることはなく複数枚のシート状の薬剤保持体２０を設けるようにしても良い。
例えば、図１１に示すように、薬剤保持体取付部材１０の上面板１３に凹陥部１６を形成して薬剤保持体取付部１１とし、複数枚のシート状の薬剤保持体２０を載置して設ける。
この場合には、シート状の薬剤保持体２０を直接設けたが、前述のように円形容器２１と止め板２２を用いて取付けるようにしても良い。
なお、図１１においてはシート状の薬剤保持体２０の外周部分２０ａを補強してある。
【００３０】
次に、第６の実施の形態を説明する。
この実施の形態は、薬剤保持体２０を装置本体１の周面板３１に沿って設けたものである。
このようにすれば、装置全体の厚さをより薄くできる。
例えば、図１２と図１３に示すように、薬剤保持体取付部材１０の周面板１４を装置本体１の周面板３１よりも大きくし、かつ下部に底面板１４ａを設け、両方の周面板３１，１４間にほぼ半円形状の密閉された空間部１７を形成するようにする。
そして、周面板１４に空間部１７に開口する複数の通気口１８を形成し、ファン６を回転することで通気部１２、吸込口７、吐出口８、通気口１８に空気が流通するようにしてある。
【００３１】
上面板１３に薬剤保持体挿入部１９、例えばほぼ半円形状のスリット状開口部を、前記空間部１７に開口して形成する。
この薬剤保持体挿入部１９に薬剤保持体２０を挿入し、空間部１７に位置させる。
【００３２】
この場合の薬剤保持体２０はほぼ半円形状に湾曲した形状としても良いし、弾性変形するシート状としてほぼ半円形状に湾曲して薬剤保持体挿入部１９に挿入するようにしても良い。
また、薬剤保持体２０の上部は上面板１３よりも若干突出させ、手掛けなどを設けて挿入、抜き出しし易くすることが好ましい。
【００３３】
前述の薬剤保持体挿入部１９を、周面板１４の底面板１４ａに形成しても良い。
【００３４】
次に、第７の実施の形態を説明する。
この実施の形態は、上面板１３の上面と下面に薬剤保持体２０をそれぞれ取付けたものである。
例えば、図１４に示すように、上面板１３に突起１５を設けて下向きの第１薬剤保持体取付部１１ａを形成し、前記上面板１３に凹陥部１６を形成して上向きの第２の薬剤保持体取付部１１ｂを形成する。
そして、第１・第２の薬剤保持体取付部１１ａ，１１ｂに薬剤保持体２０をそれぞれ取付ける。
【図面の簡単な説明】
【００３５】
【図１】第１の実施の形態を示す装置全体の側面図である。
【図２】第１の実施の形態を示す装置全体の縦断面図である。
【図３】装置本体の平面図である。
【図４】薬剤保持体取付部材の底面図である。
【図５】薬剤保持体と円形容器と止め板の斜視図である。
【図６】第２の実施の形態を示す装置全体の縦断面図である。
【図７】第３の実施の形態を示す装置全体の縦断面図である。
【図８】薬剤保持体取付部材の底面図である。
【図９】第４の実施の形態を示す装置全体の縦断面図である。
【図１０】薬剤保持体取付部材の底面図である。
【図１１】第５の実施の形態を示す装置全体の縦断面図である。
【図１２】第６の実施の形態を示す装置全体の平面図である。
【図１３】図１２の縦断面図である。
【図１４】第７の実施の形態を示す装置全体の縦断面図である。
【符号の説明】
【００３６】
１…装置本体、２…送風機取付部、３…電池取付部、４…送風機、５…モータ、６…ファン、７…吸込部、８…吐出部、９…電池、１０…薬剤保持体取付部材、１１…薬剤保持体取付部、１２…通気部、１３…上面板、１４…周面板、１７…空間部、２０…薬剤保持体、２１…円形容器、２２…止め板、３０…底面板、３１…周面板、３２…仕切り板、３３…一側上面板、３４…他側上面板。
【図１】
2005287872.tif 000003
【図２】
2005287872.tif 000004
【図３】
2005287872.tif 000005
【図４】
2005287872.tif 000006
【図５】
2005287872.tif 000007
【図６】
2005287872.tif 000008
【図７】
2005287872.tif 000009
【図８】
2005287872.tif 000010
【図９】
2005287872.tif 000011
【図１０】
2005287872.tif 000012
【図１１】
2005287872.tif 000013
【図１２】
2005287872.tif 000014
【図１３】
2005287872.tif 000015
【図１４】
2005287872.tif 000016